(57)【特許請求の範囲】
【請求項１】
表示面に映像を表示する表示装置と、前記表示面と向き合う使用者の水平面内での重心位置を測定する測定装置と、前記表示装置および前記測定装置の動作を制御する制御装置とを備え、
前記制御装置は、前記測定装置で測定された前記重心位置の情報を重心情報として取得する情報取得部と、訓練モードと設定モードとの２つの動作モードを切り替えるモード切替部と、前記訓練モードにおいて操作図像および当該操作図像による追尾の対象となる目標図像を前記表示装置に表示させる表示処理部と、前記訓練モードにおいて前記重心情報に応じて前記表示面内での前記操作図像の位置を変化させる操作処理部と、前記重心情報を記憶する記憶部と、前記設定モードにおいて前記記憶部に記憶された前記重心情報から前記使用者の前記重心位置の偏りを評価する評価部と、前記訓練モードにおける前記表示面上の前記目標図像の位置を決めている設定データを、前記評価部で評価された前記重心位置の偏りに基づいて決定する設定決定部とを有しており、
前記表示処理部は、前記目標図像の代表点の座標位置から所定範囲に設定される判定領域内に前記操作図像の代表点が位置する状態で所定時間が経過したときに、両図像の位置が重なったと判断することを特徴とする重心移動訓練システム。
【請求項２】
前記制御装置は、前記訓練モードにおいて前記表示面における前記操作図像の動きを評価する修正評価部をさらに有し、前記設定決定部は、前記訓練モードにおいて前記修正評価部の評価結果に基づいて前記設定データを修正することを特徴とする請求項１に記載の重心移動訓練システム。
【請求項３】
表示面に対して前記使用者側に配置され、前記表示面に表示される映像を透過させるとともに前記使用者の鏡像を映すハーフミラーをさらに備えることを特徴とする請求項１または請求項２に記載の重心移動訓練システム。
【請求項４】
前記使用者の映像を撮像する撮像装置をさらに備え、前記表示処理部は、前記撮像装置で撮像された前記使用者の映像を、前記操作図像および前記目標図像と共に前記表示装置に表示させることを特徴とする請求項１ないし請求項３のいずれか１項に記載の重心移動訓練システム。
【請求項５】
前記表示処理部は、前記設定モードにおいては前記評価部での評価に用いられる前記重心情報を前記表示装置に表示させることを特徴とする請求項１ないし請求項４のいずれか１項に記載の重心移動訓練システム。
【請求項６】
前記制御装置は、前記訓練モードの前後の前記設定モードにおける前記評価部の評価結果を比較する比較部と、前記比較部の比較結果を提示する提示部とをさらに有することを特徴とする請求項１ないし請求項５のいずれか１項に記載の重心移動訓練システム。
【請求項７】
前記比較部は比較結果を数値化し、前記提示部は、前記訓練モード後の前記設定モードにおいて前記比較部の比較結果を前記表示処理部に表示させることを特徴とする請求項６に記載の重心移動訓練システム。
【発明の詳細な説明】
【技術分野】
【０００１】
本発明は、使用者の重心移動の訓練に用いられる重心移動訓練システムに関する。
【背景技術】
【０００２】
人の重要な運動機能の１つに重心移動の機能があるが、たとえば病気や怪我により身体の動きに障害のある患者や高齢者等においては、この重心移動の機能が衰えている場合がある。重心移動の機能が不十分な人は、たとえば左右の脚に交互に体重が掛かるようにスムーズに重心移動させることができないがために、歩行などの基本的な運動にも支障がでる場合がある。そのため、重心移動をスムーズに行わせるための重心移動訓練は、たとえばリハビリテーションの分野等に広く取り入れられている。
【０００３】
一方、使用者（被検者）の足元に配置され使用者の各足にかかる全荷重の中心を検出する測定装置（荷重検出手段）を備え、測定装置の出力から求まる使用者の重心位置を示すイメージを表示装置に表示させるシステムが提案されている（たとえば特許文献１参照）。特許文献１記載のシステムでは、表示装置上に重心移動の目標となる目標図像（目標イメージ）が表示され、使用者は、重心位置を示すイメージを目標図像上に重ねるように目標図像の動きに合わせて重心位置を移動させる重心移動訓練が可能になる。さらに、特許文献１記載のシステムでは、使用者の訓練目標に応じて目標図像の移動パターンが予め複数記憶されており、使用者に合わせて移動パターンを選択できるようになっている。
【先行技術文献】
【特許文献】
【０００４】
【特許文献１】特開平７−２７５３０７号公報
【発明の概要】
【発明が解決しようとする課題】
【０００５】
しかし、特許文献１記載のシステムでは、人が、予め用意された複数の移動パターンの中から目標図像の移動パターンを選択するので、不特定多数の使用者を対象とする場合などに、使用者ごとにそれぞれ適した移動パターンを個別に選択することは困難である。すなわち、同じような症状の（たとえば右脚の機能が低下した）人でも重心移動の機能の低下具合は人によって様々であり、同じような症状の使用者全てに対して画一的な重心移動訓練を実施させることは、訓練の効率の面で望ましくない。
【０００６】
本発明は上記事由に鑑みて為されており、使用者ごとにそれぞれ適した重心移動訓練を実施させることができる重心移動訓練システムを提供することを目的とする。
【課題を解決するための手段】
【０００７】
本発明の重心移動訓練システムは、表示面に映像を表示する表示装置と、前記表示面と向き合う使用者の水平面内での重心位置を測定する測定装置と、前記表示装置および前記測定装置の動作を制御する制御装置とを備え、前記制御装置は、前記測定装置で測定された前記重心位置の情報を重心情報として取得する情報取得部と、訓練モードと設定モードとの２つの動作モードを切り替えるモード切替部と、前記訓練モードにおいて操作図像および当該操作図像による追尾の対象となる目標図像を前記表示装置に表示させる表示処理部と、前記訓練モードにおいて前記重心情報に応じて前記表示面内での前記操作図像の位置を変化させる操作処理部と、前記重心情報を記憶する記憶部と、前記設定モードにおいて前記記憶部に記憶された前記重心情報から前記使用者の前記重心位置の偏りを評価する評価部と、前記訓練モードにおける前記表示面上の前記目標図像の位置を決めている設定データを、前記評価部で評価された前記重心位置の偏りに基づいて決定する設定決定部とを有しており、前記表示処理部は、前記目標図像の代表点の座標位置から所定範囲に設定される判定領域内に前記操作図像の代表点が位置する状態で所定時間が経過したときに、両図像の位置が重なったと判断することを特徴とする。                                                                      
【０００８】
この重心移動訓練システムにおいて、前記制御装置は、前記訓練モードにおいて前記表示面における前記操作図像の動きを評価する修正評価部をさらに有し、前記設定決定部は、前記訓練モードにおいて前記修正評価部の評価結果に基づいて前記設定データを修正することが望ましい。
【０００９】
この重心移動訓練システムにおいて、表示面に対して前記使用者側に配置され、前記表示面に表示される映像を透過させるとともに前記使用者の鏡像を映すハーフミラーをさらに備えることがより望ましい。
【００１０】
この重心移動訓練システムにおいて、前記使用者の映像を撮像する撮像装置をさらに備え、前記表示処理部は、前記撮像装置で撮像された前記使用者の映像を、前記操作図像および前記目標図像と共に前記表示装置に表示させることがより望ましい。
【００１１】
この重心移動訓練システムにおいて、前記表示処理部は、前記設定モードにおいては前記評価部での評価に用いられる前記重心情報を前記表示装置に表示させることがより望ましい。
【００１２】
この重心移動訓練システムにおいて、前記制御装置は、前記訓練モードの前後の前記設定モードにおける前記評価部の評価結果を比較する比較部と、前記比較部の比較結果を提示する提示部とをさらに有することがより望ましい。
【００１３】
この重心移動訓練システムにおいて、前記比較部は比較結果を数値化し、前記提示部は、前記訓練モード後の前記設定モードにおいて前記比較部の比較結果を前記表示処理部に表示させることがより望ましい。
【発明の効果】
【００１４】
本発明は、訓練モードにおける表示面上の目標図像の位置を決めている設定データが、評価部で評価された重心位置の偏りに基づいて決定されるので、使用者ごとにそれぞれ適した重心移動訓練を実施させることができるという利点がある。
【図面の簡単な説明】
【００１５】
【図１】実施形態１の重心移動訓練システムのシステム構成を示す概略図である。
【図２】同上の表示装置の表示例を示す説明図である。
【図３】同上の動作の説明図である。
【図４】実施形態２の重心移動訓練システムの動作の説明図である。
【図５】実施形態４の重心移動訓練システムのシステム構成を示す概略図である。
【発明を実施するための形態】
【００１６】
以下の実施形態では、病気や怪我により重心移動の機能が衰えた患者を対象として、重心移動をスムーズに行わせるためのリハビリテーションに用いられる重心移動訓練システムについて説明する。ただし、以下の実施形態の記載は重心移動訓練システムの用途を限定する趣旨ではなく、たとえば健常者が日頃の運動や、各種のスポーツに必要な重心移動の感覚を習得するためのトレーニングなどに重心移動訓練システムを用いてもよい。
【００１７】
（実施形態１）
本実施形態の重心移動訓練システム１は、図１に示すように、使用者２の正面に配置され表示面３０に映像を映す表示装置３と、水平面内での使用者２の重心位置を測定する測定装置４と、表示装置３および測定装置４の動作を制御する制御装置５とを備えている。表示装置３および測定装置４は、いずれも制御装置５に対して接続されている。本実施形態では、使用者２は測定装置４上に立った姿勢（立位）で重心移動訓練システム１を使用する。
【００１８】
また、この重心移動訓練システム１は、表示装置３の使用者２と向き合う表示面３０の手前（使用者２側）に配置されたハーフミラー６をさらに備えている。ハーフミラー６は、その前面（鏡面）が使用者２と向き合うように、表示装置３と使用者２との間に垂直に立てて配置されており、背後の表示装置３に表示された映像を使用者２側に透過させる。
【００１９】
表示装置３は、ここではプラズマディスプレイからなり、ハーフミラー６の背面側に取り付けられている。図１では、ハーフミラー６を支持する構造や、表示装置３の取付構造の図示を省略しているが、適宜選択される構造で、ハーフミラー６および表示装置３は十分な強度をもって定位置に固定される。なお、表示装置３はプラズマディスプレイに限らず、液晶ディスプレイ等、他のディスプレイ装置であってもよい。また、ディスプレイ装置の代わりに、ハーフミラー６の背面に貼り付けられる拡散シート（図示せず）と、ハーフミラー６の後方（使用者２とは反対側）から拡散シートに映像を投影する投影装置（図示せず）とで構成される表示装置を用いることも考えられる。
【００２０】
本実施形態においては、ハーフミラー６は、前面が縦長の長方形状であって、使用者２の全身を映す姿見として機能する大きさに形成されている。ハーフミラー６の透過率は、ハーフミラー６を鏡として利用でき、且つ使用者２がハーフミラー６を通して表示装置３に表示される映像を視認できるように設計される。ハーフミラー６は、ガラスや合成樹脂の透明な基材の少なくとも一表面に、金属膜などによる鏡面コーティングが施されることにより形成されている。
【００２１】
ここでは、表示装置３は、ハーフミラー６の背面に表示面３０が接するように配置されている。表示装置３の高さ位置は、下端縁がハーフミラー６の下端から所定の間隔を空けて位置し、且つ上端縁がハーフミラー６の上端から所定の間隔を空けて位置するように決められている。ここで、表示装置３はハーフミラー６の中心よりもやや上方寄りに配置されている。また、表示装置３に表示される映像をハーフミラー６の前面に高輝度で表示できるよう、ハーフミラー６と表示面３０との間には、屈折率を調節して反射を防止する透明材料が充填されていてもよい。
【００２２】
上記構成によれば、ハーフミラー６の前面は、鏡として使用者２の鏡像を映し出すとともに、表示装置３の表示面３０に表示された映像を映し出すように機能する。つまり、ハーフミラー６の正面に使用者２が居れば、使用者２の鏡像がハーフミラー６の前面に映るとともに、表示装置３に表示される映像がハーフミラー６を透過してハーフミラー６の前面に映し出されることになる。詳しくは後述するが、表示装置３に表示される映像は制御装置５によって生成される。
【００２３】
測定装置４は、ハーフミラー６の手前の床であって使用者２の足元に配置されている。この測定装置４は、使用者２が搭乗する搭乗台４０と、搭乗台４０上に立つ使用者２から搭乗台４０に作用する荷重を測定する複数個の荷重センサ（図示せず）とを具備している。荷重センサは、水平面内で一直線上に並ばないように３個以上設けられており、互いにできるだけ離れるように水平面内で二次元配置されている。
【００２４】
この測定装置４を用いると、各荷重センサにそれぞれ作用する荷重を求めることにより、搭乗台４０上に立つ使用者２の水平面内での重心位置を測定することができる。つまり、使用者２の身体が前後方向あるいは左右方向に傾いていなければ、前後方向と左右方向とのそれぞれにおいて荷重の比率が等しくなり、使用者２の重心位置は搭乗台４０の中心に位置する。
【００２５】
測定装置４は、重心位置が搭乗台４０の中心に位置する状態を基準として、前後方向と左右方向とのそれぞれについて荷重の偏りをリアルタイムで測定し、この偏りに応じて水平面内での重心位置を求める。本実施形態では、測定装置４は、ハーフミラー６に向き合った状態にある使用者２の左右方向をＸ軸、前後方向をＹ軸とし、搭乗台４０の中心位置を（Ｘ，Ｙ）＝（０，０）とする二次元直交座標系における使用者２の重心の座標位置を、重心位置として求める。
【００２６】
このように、測定装置４は水平面内での使用者２の重心位置をリアルタイムで測定し、測定結果（重心位置）を制御装置５に対して出力する。ただし、制御装置５に出力される測定装置４の測定結果は水平面内での使用者２の重心位置を特定できる値であればよく、測定装置４はたとえば各荷重センサにそれぞれ作用する荷重を制御装置５に出力する構成であってもよい。この場合、制御装置５では、測定装置４の測定結果を用いて前後方向と左右方向とのそれぞれについて荷重の比率が算出され、水平面内での使用者２の重心位置が算出される。
【００２７】
ところで、本実施形態の重心移動訓練システム１は、測定装置４から重心位置の情報を重心情報として取得する情報取得部５１と、制御装置５の動作モードを切り替えるモード切替部５２とを制御装置５に有している。さらに、制御装置５は、操作図像および目標図像を表示装置３に表示させる表示処理部５３と、使用者２の重心位置に基づいて表示面３０内での操作図像の位置を変化させる操作処理部５４と、記憶部５５とを有している。
【００２８】
モード切替部５２は、制御装置５の入力インタフェース（図示せず）に対し所定の操作が為されることにより、訓練モードと設定モードとの２つの動作モードを切り替える。つまり、使用者２あるいは療法士等が制御装置５の入力インタフェースを操作することにより、制御装置５の動作モードは訓練モードと設定モードとの間で切り替わることになる。詳しくは後述するが、訓練モードは実際に使用者２に重心移動訓練を行わせる動作モードであって、設定モードは訓練モードで使用者２に実施させる重心移動訓練の設定等を行う動作モードである。
【００２９】
表示処理部５３は、訓練モードにおいて、操作図像と目標図像とを表示面３０上に同時に表示させる。ここでいう操作図像および目標図像は、いずれも表示面３０上に占める面積が表示面３０全域に比べて十分に小さく、表示面３０内を移動可能に表示される図像である。本実施形態では、図２に例示するように金魚を表す画像を目標図像３１とし、金魚をすくうポイ（すくい網）を表す画像を操作図像３２とする。図２（ａ）の例では、表示面３０上に６匹の金魚の画像が表示されているが、これらの金魚の画像の各々が目標図像３１である。目標図像３１は金魚の静止画ではなく、水中を泳いでいるように揺らぐ金魚の動画からなる。
【００３０】
操作処理部５４は、訓練モードにおいて、測定装置４で測定される水平面内での使用者２の重心位置に基づいて、表示面３０における操作図像３２の表示位置を変化させる。具体的には、操作処理部５４は、情報取得部５１で取得された使用者２の重心の座標位置（Ｘ，Ｙ）を座標変換により表示面３０上の位置に変換して求まる位置を、操作図像３２の位置とする。操作処理部５４は、使用者２の重心位置が略リアルタイムで表示面３０上の操作図像３２の位置に反映されるように、所定の周期（たとえば１／３０秒）で情報取得部５１から重心情報を取得し操作図像３２の位置を決定する。
【００３１】
ここでは、操作処理部５４は、使用者２の左右が表示面３０の左右に対応し、使用者２の前方が表示面３０の上方、使用者２の後方が表示面３０の下方に対応するように座標変換する。そのため、たとえば使用者２が身体を右側に傾けて重心位置を右に移動させると、重心移動に合わせて表示面３０上の操作図像３２は右に移動し、使用者２が身体を前方に傾けて重心位置を前に移動させると、表示面３０上の操作図像３２は上に移動する。さらには、使用者２の重心位置の移動速度、加速度等も操作図像３２の移動に反映される。
【００３２】
目標図像３１は、操作図像３２による追尾の対象となる図像である。目標図像３１は、表示面３０上の定位置に表示される図像であってもよいが、本実施形態では、表示処理部５３は、目標図像３１が表示面３０内を移動するように表示装置３に目標図像３１を表示させている。これにより、制御装置５が訓練モードで動作中においては、使用者２は、自身の重心移動によって表示面３０上の操作図像３２を操作して、表示面３０上を動き回る目標図像３１を操作図像３２にて追尾することができる。
【００３３】
ここで、記憶部５５には、操作図像３２および目標図像３１の内容を表す画像データ（本実施形態では金魚とポイの画像データ）と、表示面３０上での目標図像３１の位置および動きを決める設定データとが記憶されている。目標図像３１の移動パターンには、ランダムに動き回るパターンと、ある規則性を持ったパターンとがあり、表示処理部５３がいずれのパターンを選択するかについても設定データによって決定される。さらに、設定データには、目標図像３１の個数、移動速度、加速度等を決めるデータが含まれる。
【００３４】
操作図像３２および目標図像３１は、表示面３０における互いの位置が重なるとそれぞれ所定の処理を実行するように、当該処理と関連付けられている。すなわち、表示処理部５３は、操作図像３２および目標図像３１にそれぞれ実行すべき処理を関連付けておくことにより、操作図像３２と目標図像３１との位置が重なったときに、各図像に関連付けた処理を実行させることができる。
【００３５】
具体的には、目標図像３１には、操作図像３２と位置が重なったときには金魚が操作図像３２中のポイにすくわれるようなアニメーションを伴って金魚の絵柄が消滅する処理が関連付けられている。また、操作図像３２には、目標図像３１と位置が重なったときにはポイで目標図像３１中の金魚をすくうようなアニメーションを実行する処理が関連付けられている。
【００３６】
つまり、制御装置５が訓練モードで動作中においては、使用者２が操作図像３２を操作して目標図像３１の金魚をすくう度に、表示される金魚（目標図像３１）の数は減っていく。たとえば図２（ａ）のように６匹の金魚が表示されている状態で使用者２が金魚をすくうと、図２（ｂ）のように金魚は５匹になる。さらに、操作図像３２には、目標図像３１と位置が重なったときに、たとえば金魚をすくう際の水がはねる音など絵柄の変化に対応した音を制御装置５のスピーカ（図示せず）から発生させるような処理が関連付けられていてもよい。
【００３７】
ここでは、表示処理部５３は、目標図像３１の代表点（たとえば図像の中心）の座標位置から所定範囲に設定される判定領域内に操作図像３２の代表点が位置するときに、両図像の位置が重なったと判断する。ただし、表示処理部５３は、操作図像３２の代表点が判定領域に入ってすぐに両図像が重なったと判断するのではなく、操作図像３２の代表点が判定領域に位置する状態でタイマ（図示せず）にて計時される所定時間が経過して初めて両図像が重なったと判断する。
【００３８】
これにより、使用者２は、目標図像３１にゆっくり近づくように操作図像３２を操作した場合のみ、目標図像３１の金魚をすくうことができる。さらに、操作図像３２には、操作図像３２の代表点が判定領域を通過した場合、つまり操作図像３２中のポイが目標図像３１中の金魚を行き過ぎたような場合に、ポイが破れるような処理が関連付けられていてもよい。
【００３９】
ここにおいて、表示処理部５３が目標図像３１および操作図像３２を表示装置３に表示させて使用者２に重心移動訓練を行わせる訓練モードは、上述したように制御装置５の入力インタフェースに対し訓練を開始する所定の操作が為されることにより開始する。つまり制御装置５の動作モードがモード切替部５２にて設定モードから訓練モードに切り替えられることによって、使用者２の重心移動訓練が開始する。この訓練モードは、表示された全ての金魚がすくわれる他、訓練の開始から予め定められた制限時間が経過した時点で終了してもよいし、時間制限を設けずに制御装置５の入力インタフェースに対し訓練を終了する所定の操作が為されることによって終了してもよい。
【００４０】
表示処理部５３は、訓練モードが終了する際に、使用者２が制限時間内にすくった金魚の数や、表示された全ての金魚をすくうのに要した時間などを得点として表示装置３に表示させる。つまり、使用者２が訓練モードにて行った重心移動訓練の結果は、モード切替部５２が訓練モードを終了して設定モードに切り替える際に、表示装置３に表示されることになる。なお、図２の例では、表示面３０の下部に表示された戻るボタン３３に対して、操作図像３２が所定時間以上に亘って重ねられることにより、制御装置５は訓練モードを強制的に終了する。
【００４１】
上述した重心移動訓練システム１を用いれば、訓練モードにて、使用者２は、ハーフミラー６に映る自身の鏡像を見ながら、重心移動を行うことによって表示面３０上の操作図像３２を操作し、目標図像３１中の金魚を操作図像３２中のポイですくうことができる。このとき、使用者２は、表示面３０上を動き回る目標図像３１を操作図像３２にて的確に捕らえるべく、目標図像３１の動きに合わせて重心移動を行うことになる。したがって、使用者２は、高得点を目指すことにより、特に意識しなくても身体の重心位置を動かすことになるので、ゲームを楽しんでいるような感覚で身体を動かすことにより十分な重心移動訓練の効果を享受できる。
【００４２】
ところで、上記構成の重心移動訓練システム１では、訓練モードにおける表示面３０上の目標図像３１の位置および動きは、記憶部５５に記憶されている設定データによって決まる。ただし、重心移動訓練システム１が不特定多数の使用者２を対象としている場合などに、使用者２あるいは療法士等が使用者２ごとにそれぞれ適した設定データを作成し、または複数の設定データの中から選択することは困難である。
【００４３】
そこで、本実施形態の重心移動訓練システム１では、制御装置５は、設定モードにおいて情報取得部５１にて随時取得される重心情報を評価する評価部５６と、評価部５６での評価結果に基づいて設定データを自動的に決定する設定決定部５７とをさらに備えている。
【００４４】
すなわち、設定モードにおいては、記憶部５５が情報取得部５１にて随時取得される重心情報を記憶し、評価部５６が設定モード中に記憶部５５に記憶された重心情報を用いて使用者２の重心位置の偏りを評価する。この評価結果は設定決定部５７に入力され、設定データの決定に用いられる。設定決定部５７は、訓練モードにおける表示面３０上の目標図像３１の位置と動きとを決める設定データを、訓練モードが開始する前の設定モードにおいて評価部５６の評価結果（重心位置の偏り）に基づいて決定し、記憶部５５に記憶する。
【００４５】
具体的に説明すると、設定モードにおいては、評価部５６での評価対象となる重心情報を情報取得部５１に与えるため、療法士等は、使用者２に対して、搭乗台４０上に立った状態で前後左右に自由に重心を移動させるように指示を出す。ここで、情報取得部５１は所定の周期（たとえば１／３０秒）で重心情報を取得し、記憶部５５に時系列に記憶する。
【００４６】
これにより、設定モードにおいては、使用者２が可能な範囲で自由に身体を前後左右に傾けて重心を移動させた際の、重心位置の軌跡が記憶部５５に記憶されることになる。この重心位置の軌跡は、使用者２の重心移動の機能や癖を反映する。たとえば、右方および後方への重心移動を苦手とする使用者２の場合、設定モードで得られる重心位置の軌跡は、図３に示すように搭乗台４０の中心位置４１に対して左前方に偏った軌跡４２となる。図３では、搭乗台４０上面における重心位置の軌跡４２を模式的に表している。設定モードでこのような重心位置が得られた場合、評価部５６は、使用者２の重心位置が左前方に偏っている、言い換えれば右方および後方への重心移動を使用者２が苦手にしていると評価する。
【００４７】
この評価結果（重心位置の偏り）に基づいて、設定決定部５７は、使用者２が苦手にしていると推定される向きへの重心移動を重点的に行わせるように、目標図像３１の位置および動きを決める設定データを決定する。要するに、図３のような軌跡４２が設定モードで得られた場合、設定決定部５７は、訓練モードにおいて、表示面３０の右方あるいは下方に偏って目標図像３１が表示されるように、設定データを決定する。このとき、設定決定部５７は、予め記憶部５５に記憶された基本となるデータを評価結果に基づいて修正して設定データを決定してもよいし、予め記憶部５５に記憶された複数の設定データの候補の中から評価結果に基づいて一の設定データを選択してもよい。
【００４８】
あるいは、設定決定部５７は、評価部５６で評価された使用者２の重心位置の偏りに基づいて、使用者２が苦手にしていると推定される向きへの重心移動を控えるように、設定データを決定してもよい。この場合、使用者２は、無理な重心移動を強いられることがなくなり、使用者２に過度の負担が掛かることを回避できる。
【００４９】
また、評価部５６は、使用者２の重心の移動速度や重心の移動範囲の広さなどを評価してもよく、この場合、設定決定部５７は、評価部５６の評価結果に応じて目標図像３１の移動速度や移動範囲が制限されるように設定データを決定してもよい。他にも、設定決定部５７は、評価部５６の評価結果に応じて目標図像３１の移動パターンの難易度（目標図像３１の個数、加速度等）が決まるように設定データを決定してもよい。
【００５０】
さらに、表示処理部５３は、設定モードにおいては、評価部５６での評価に用いられる重心情報を表示装置３に表示させるように構成されていてもよい。この場合、表示処理部５３は、設定モードにおいて、たとえば重心の座標位置を座標変換により表示面３０上の位置に変換して求まる位置に図像を表示したり、図３のような重心位置の軌跡を表示面３０に表示したりする。
【００５１】
これにより、使用者２は設定モードにおいて表示装置３に表示された重心情報を確認しながら重心移動を行うことができ、可能な範囲でむらなく重心を移動させることが可能となる。したがって、使用者２は、たとえば右方への重心移動が特に不得意でもないのに、重心位置の軌跡が左方に偏ってしまうような事態を回避でき、評価部５６での評価の精度が高くなる。
【００５２】
このように、本実施形態では訓練モード前の設定モードにおいて、使用者２が自由に重心移動させた際の重心情報の評価結果に基づいて設定モードが決定され、決定された設定モードが記憶部５５に記憶されることになる。制御装置５の動作モードが訓練モードに切り替わった後は、表示処理部５３が記憶部５５に記憶された設定データを用いて目標図像３１を表示面３０上に表示させることにより、設定決定部５７にて決定された設定データに従って目標図像３１が表示される。
【００５３】
また、本実施形態においては、制御装置５は、訓練モードにおいて表示面３０に表示される操作図像３２の動きを評価する修正評価部５８をさらに有し、設定決定部５７は、訓練モードでの動作中に修正評価部５８の評価結果に基づいて設定データを随時修正する。すなわち、設定決定部５７は、訓練モード開始時点における目標図像３１の位置および動きを決める設定データを設定モードにおいて予め決定するものの、訓練モード開始後の使用者２の動きに応じて、訓練モード中に設定データを随時修正することが可能である。なお、修正評価部５８は訓練モード中に一定時間間隔で操作図像３２の動きを評価する。
【００５４】
ここでは、図３のような軌跡４２が設定モードで得られたために、設定モードにおいて、設定決定部５７が、表示面３０の右方あるいは下方に偏って目標図像３１が表示されるように設定データを決定した場合を例に、修正評価部５８の機能を説明する。
【００５５】
この場合、訓練モードにおいて、操作図像３２が右方および下方への目標図像３１の動きを殆ど追従できていなければ、修正評価部５８は、右方および後方への重心移動ができていないと評価する。この評価結果を受けて、設定決定部５７は、右方および下方への目標図像３１の移動を減らしたり、あるいは目標図像３１の移動速度や移動範囲を制限したり、目標図像３１の移動パターンの難易度を下げたりするように設定データを修正する。その結果、使用者２は無理な重心移動をしなくても操作図像３２で目標図像３１を追従することが可能となり、使用者２に過度の負担が掛かることを回避できる。
【００５６】
一方、訓練モードにおいて、操作図像３２が右方および下方への目標図像３１の動きを十分に追従できていれば、修正評価部５８は、右方および後方への重心移動ができていると評価する。この評価結果を受けて、設定決定部５７は、右方および下方への目標図像３１の移動を増やしたり、あるいは目標図像３１の移動速度や移動範囲の制限を緩めたり、目標図像３１の移動パターンの難易度を上げたりするように設定データを修正する。その結果、使用者２を重心移動の機能の回復度（あるいは成長度）に合わせて重心移動訓練の難易度が向上することとなり、重心移動訓練の効率が向上することになる。
【００５７】
さらに、重心移動訓練システム１は、特定の複数の使用者２に交代で使用されるような場合には、記憶部５５は、設定データを記憶する記憶領域を使用者２ごとに有していてもよい。これにより、設定決定部５７にて設定データが既に決定（あるいは修正）された使用者２が再度訓練を行う際には、制御装置５はこの使用者２の設定データを記憶部５５から読み出すことにより、設定モードを飛ばして訓練モードを開始することも可能になる。
【００５８】
以上説明した本実施形態の重心移動訓練システム１によれば、訓練モードでの表示面３０上の目標図像３１の位置が、訓練モード前の設定モードに得られた重心位置の偏りに基づいて決定されるので、使用者２ごとに適した重心移動訓練を実施できる。すなわち、重心移動訓練システム１は、実際に訓練を開始する前に使用者２の重心移動の機能や癖（苦手としている向きなど）を評価し、その評価結果に基づいて訓練モードにおける目標図像３１の位置を自動的に決定している。
【００５９】
したがって、この重心移動訓練システム１は、不特定多数の使用者２を対象としている場合などでも、使用者２ごとにそれぞれ適した目標図像３１の位置を設定し、使用者２ごとに不得意な動きを個別に強化することができる。結果的に、各使用者２に適した個別の重心移動訓練を実施させることができ、同じような症状の使用者２全てに対して画一的な重心移動訓練を実施させる場合に比べて、訓練の効率がよくなるという利点がある。
【００６０】
しかも、設定決定部５７は、訓練モードでの動作中に修正評価部５８の評価結果に基づいて設定データを随時修正するので、使用者２が訓練を実施中であっても、この使用者２により適した訓練となるように目標図像３１の位置および動きを修正することができる。したがって、使用者２に過度の負担が掛かることを回避でき、また、重心移動訓練の効率向上を図ることができる。
【００６１】
また、本実施形態の重心移動訓練システム１では、使用者２は、ハーフミラー６に映る自身の鏡像を見ながら運動することができるので、自身がどのような姿勢のときにどのように重心が移動するのかということを視覚的に学習することができる。そのため、使用者２は、訓練を行う中で、たとえば右脚に荷重を掛ける場合には身体をどのように傾ければよいか等、重心移動に必要な身体の動きを習得することができるという利点がある。
【００６２】
つまり、使用者２は、自身の姿勢を常に確認しながら重心移動訓練を行うことができ、正しい姿勢を確認しながら重心移動を行うことができる。たとえば、使用者２は、ハーフミラー６に映る自身の鏡像によって、左右の肩部の位置が水平であることを確認しながら、重心移動を行うことができる。この場合、使用者２は、闇雲に体重を移動させて結果的に重心が移動すればいいというのではなく、左右の肩部の位置を水平にして正しい姿勢を保ったままで、重心移動を行うことが可能になる。このように自身の姿勢を確認しながら重心移動を行うことは、たとえば真っ直ぐに立つことすら困難な患者にとっては、特に有用である。
【００６３】
ここで、使用者２を前方から撮像する撮像装置（図示せず）を設け、撮像装置で撮像された使用者２の全身の映像を制御装置５で左右反転させ、反転映像を表示装置３に表示させる構成であっても、使用者２に自身の全身像を見せることは可能である。ただし、表示装置３が表示する映像は、時間遅れや画像解像度、被写体の照明状態、撮像装置の位置の違いによる使用者２の視点とのずれ、レンズの焦点距離等により、使用者２の動き等をリアルタイムで完全に反映することは困難である。そのため、ハーフミラー６を設けずに、表示装置３に表示される反転映像のみを使用者２に見せるようにした場合、使用者２は多少の違和感を感じることがある。
【００６４】
これに対して、本実施形態ではハーフミラー６が設けられ、ハーフミラー６の前面に映る鏡像は、光学的に使用者２の姿を忠実に反映しているので、使用者２の動き等をリアルタイムで略完全に表すことができる。
【００６５】
しかも、使用者２は、眼の焦点距離（映像の焦点距離：鏡像の焦点距離＝１：２）を切り替えることにより、ハーフミラー６に映った鏡像と、表示装置３に表示される映像とのどちらかに注目することができる。そこで、使用者２は、表示装置３に表示される映像（目標図像３１および操作図像３２）に注目しながら、鏡像についても視界に入るような状態で重心移動訓練システム１を使用することが可能である。
【００６６】
また、使用者２から見て、ハーフミラー６に映る鏡像と表示装置３に表示される映像との見え方に大差が生じないように、重心移動訓練システム１の使用時には、表示装置３の輝度や室内の明るさが適宜調節されていることが望ましい。
【００６７】
なお、本実施形態では、目標図像３１を金魚、操作図像３２をポイの画像として、金魚すくいをイメージした訓練を行う例を示したが、これらの図像は一例に過ぎず、たとえば目標図像３１を蝿、操作図像３２を蝿たたきの画像としてもよい。
【００６８】
また、操作処理部５４は、測定装置４で測定される重心位置に基づいて表示面３０内での操作図像３２の位置を変化させる構成であればよく、上述したように座標変換によって求まる位置に操作図像３２を表示させる構成に限らない。たとえば、操作処理部５４は、搭乗台４０の中心と重心位置との相対的な位置関係に応じて、操作図像３２の位置を変化させてもよい。すなわち、使用者２が身体を右側に傾けて搭乗台４０の中心から重心位置が右にずれると、操作処理部５４は、たとえば搭乗台４０の中心位置からの重心位置のずれ量に応じた加速度で表示面３０中の操作図像３２を右に移動させる構成であってもよい。
【００６９】
（実施形態２）
本実施形態の重心移動訓練システム１は、制御装置５が、訓練モードの前後の設定モードでの評価部５６の評価結果を比較する比較部（図示せず）と、比較部の比較結果を提示する提示部（図示せず）とを有する点が実施形態１の重心移動訓練システム１と相違する。
【００７０】
すなわち、本実施形態では、モード切替部５２は、制御装置５の動作モードを設定モードから訓練モードに切り替えた後、訓練モードが終了すると再び設定モードに切り替える。設定モードでは、実施形態１で説明したように評価部５６での評価対象となる重心情報を情報取得部５１に与えるため、療法士等は、使用者２に対して、搭乗台４０上に立った状態で前後左右に自由に重心を移動させるように指示を出す。そのため、設定モードにおいては、使用者２が可能な範囲で自由に身体を前後左右に傾けて重心を移動させた際の、重心位置の軌跡が記憶部５５に記憶されることになる。評価部５６は、訓練モード前の設定モードだけでなく、訓練モード後の設定モードにおいても、設定モードでの動作中に得られた重心情報を評価する。
【００７１】
たとえば、訓練モード前の設定モードにおいて、図３に示すように搭乗台４０の中心位置４１に対して左前方に偏った重心位置の軌跡４２が得られた場合、評価部５６は、使用者２の重心移動が左前方に偏っていると評価する。これに対し、訓練モード後の設定モードにおいて、図４に示すように搭乗台４０の中心位置４１に対してあまり大きな偏りのない重心位置の軌跡４２が得られた場合、評価部５６は、重心移動のバランスが取れていると評価する。図４では、搭乗台４０上面における重心位置の軌跡４２を模式的に表している。また、評価部５６では、左右、前後それぞれについて、たとえば「左右バランス：８０点」、「前後バランス：７２点」というように、どの程度バランスよく重心移動できているかを数値化した評価を行ってもよい。これら評価部５６での評価結果は記憶部５５に記憶される。
【００７２】
比較部は、訓練モード後の設定モードにおいて、訓練モードの前後の各設定モードで得られた評価部５６の評価結果を記憶部５５から読み出し、両評価結果を比較する。ここで、比較部は、訓練モード前の評価結果に対する訓練モード後の評価結果の相対的な比較結果を定量的に求めて数値化してもよいし、あるいは定性的に求めてもよい。
【００７３】
提示部は、比較部の比較結果を、訓練モード後の設定モードにおいて使用者２に提示する。具体的には、提示部は、比較結果を表示処理部５３から表示装置３に表示させたり、制御装置５に接続されたプリンタ（図示せず）に比較結果をプリントアウトさせたりすることによって、使用者２に比較結果を提示する。表示装置３が提示部として兼用される場合、設定モードにおいて測定装置４による重心位置の測定が終了後、表示面３０に比較結果が自動的に表示される構成とすることが考えられる。
【００７４】
以上説明した本実施形態の重心移動訓練システム１によれば、訓練モードの前後における使用者２の重心移動の評価を比較部にて比較し、その比較結果を使用者２に提示することができる。したがって、使用者２は、訓練モードに実施した重心移動訓練によって、どの程度の効果があったのかを知ることができ、重心移動訓練の必要性や効果を十分に理解することができる。
【００７５】
また、比較部が比較結果を数値化し、提示部が、訓練モードの後の設定モードにおいて比較部の比較結果を表示処理部に表示させる構成では、使用者２は、重心移動訓練の効果を定量的に把握することが可能となる。さらに、比較結果を使用者２に提示するために別途ディスプレイやプリンタ等を用いる必要がなく、システム構成の簡略化を図ることができる。
【００７６】
その他の構成および機能は実施形態１と同様である。
【００７７】
（実施形態３）
本実施形態の重心移動訓練システム１は、ハーフミラーを備えていない点が実施形態１の重心移動訓練システム１と相違する。また、本実施形態では、使用者２の前方に配置され使用者２を前方から撮像する向きにレンズが向けられた撮像装置（図示せず）が設けられている。
【００７８】
撮像装置は、たとえばカメラスタンド等を利用して表示装置３の正面側（使用者２側）における使用者２の目の高さ位置に設置されている。さらに、撮像装置は、その視野内に使用者２の全身が含まれ、且つ使用者２が直立した状態で使用者２の身体の左右方向における中心線が撮像した映像の左右方向の中心線に一致するように、チルト角およびパン角が調節されている。
【００７９】
上述したような撮像装置の位置および向きの調節は、使用者２の立ち位置、目線の高さ等が決定してから初期設定として行われる。これにより、撮像装置では、使用者２の全身を映した動画像（以下、「全身映像」という）が撮像されることになる。
【００８０】
制御装置５は、表示装置３と撮像装置との両方に接続されており、撮像装置で撮像された映像を加工して表示装置３に表示させる機能を持つ。具体的には、制御装置５は、全身映像を撮像装置から取得し、取得した全身映像を左右反転させて反転映像を生成する反転処理部（図示せず）を有する。さらに、制御装置５は、反転映像の左右方向の中心線が表示面３０の左右方向の中心線に一致するように、操作図像３２および目標図像３１と共に反転映像を表示処理部５３にて表示装置３に表示させる。
【００８１】
これにより、表示装置３の表示面３０には、使用者２の全身の映像が、鏡に映った鏡像のように左右反転されて、操作図像３２および目標図像３１と共に表示されることになる。反転映像は操作図像３２および目標図像３１と重なるように表示されてもよいが、この場合、反転映像は半透明（たとえば透過率５０％）の映像として表示されることが望ましい。
【００８２】
ここで、制御装置５は、撮像装置から入力される映像をリアルタイム（１秒間に１５〜３０フレーム程度）で加工（反転）して、表示装置３に映像信号を出力する。表示装置３は、制御装置５からの映像信号を受け、リアルタイムで反転映像を表示する。そのため、表示装置３の表示面３０には、実際の使用者２の動きに合わせて動く動画像が反転映像として表示されることになる。
【００８３】
すなわち、本実施形態の重心移動訓練システム１は、光学的に形成される鏡像を提示することはなく、表示装置３に表示された反転映像を使用者２に視認させ、使用者２に対して、反転映像を自身の鏡像と錯覚させることができる。
【００８４】
以上説明した本実施形態の重心移動訓練システム１によれば、ハーフミラーを省略した分だけ、実施形態１のシステムに比べて構成を簡略化できるという利点がある。しかも、本実施形態の構成では、比較的大型の画面を備えるディスプレイが予め備わっていれば、専用のディスプレイを新設しなくても、既存のディスプレイを表示装置３として用いることが可能であるため、システムの導入コストを低減できる。
【００８５】
また、本実施形態の他の例として、使用者２の正面以外、たとえば側方、後方、あるいは上方に設置された撮像装置にて撮像される使用者２の映像を、操作図像３２および目標図像３１と共に表示処理部５３にて表示装置３に表示させてもよい。たとえば使用者２の側方から撮像された使用者２の映像が表示面３０に表示されていると、使用者２は、自身の身体の前後方向の傾きも確認しながら、重心移動訓練を行うことができる。
【００８６】
ここで、使用者２を正面以外から撮像した映像は、上記反転映像と共に並べて表示されてもよいし、単独で表示されてもよい。さらに、ハーフミラー６（図１参照）を備えた構成であっても、使用者２を正面以外から撮像装置で撮像した映像が表示装置３に表示される構成としてもよい。この場合、ハーフミラー６に映る鏡像によって正面から見た使用者２の全身像が表され、撮像装置で撮像された映像によって正面以外から見た使用者２の像が表される。
【００８７】
使用者２を正面以外から撮像した映像が上記反転映像あるいはハーフミラー６に映る鏡像と共に表示されることにより、使用者２は、自身の姿勢を複数方向から確認することができ、より正しい姿勢での重心移動訓練が可能になる。
【００８８】
その他の構成および機能は実施形態１と同様である。
【００８９】
（実施形態４）
本実施形態の重心移動訓練システム１は、測定装置４が図５に示すように椅子４３に設けられている点で、実施形態１の重心移動訓練システム１と相違する。本実施形態では、使用者２は椅子４３に座った姿勢（座位）で重心移動訓練システム１を使用する。
【００９０】
測定装置４は、ハーフミラー６の手前に設置されている椅子４３に設けられている。この測定装置４は、椅子４３の座面４４に載置され、椅子４３に座った状態の使用者２の臀部から座面４４に掛かる荷重を測定するシート状のセンサシート４５を具備している。センサシート４５は、それぞれ使用者２から作用する荷重の大きさを測定する複数個の荷重センサ（図示せず）が、水平面内で一直線上に並ばないように３個以上設けられてなり、且つ荷重センサが互いにできるだけ離れるように水平面内で二次元配置されている。
【００９１】
本実施形態では、測定装置４は、各荷重センサにそれぞれ作用する荷重を求めることにより、座面４４上における使用者２の上半身の重心位置を、椅子４３に座っている使用者２の水平面内での重心位置として測定する。つまり、使用者２の上半身が前後方向あるいは左右方向に傾いていなければ、前後方向と左右方向とのそれぞれにおいて荷重の比率が等しくなり、使用者２の重心位置は座面４４の中心に位置する。
【００９２】
測定装置４は、重心位置が座面４４の中心に位置する状態を基準として、前後方向と左右方向とのそれぞれについて荷重の偏りをリアルタイムで測定し、この偏りに応じて水平面内での重心位置を求める。本実施形態では、測定装置４は、ハーフミラー６に向き合った状態にある使用者２の左右方向をＸ軸、前後方向をＹ軸とし、座面４４の中心位置を（Ｘ，Ｙ）＝（０，０）とする二次元直交座標系における使用者２の重心の座標位置を、重心位置として求める。
【００９３】
このように、測定装置４は水平面内での使用者２の重心位置をリアルタイムで測定し、測定結果（重心位置）を制御装置５に対して出力する。そのため、たとえば使用者２が椅子４３に座ったまま上半身を右側に傾けて重心位置を右に移動させると、操作処理部５４により、重心移動に合わせて表示面３０上の操作図像３２（図２参照）は右に移動する。
【００９４】
以上説明した本実施形態の重心移動訓練システム１によれば、使用者２は椅子４３に座ったままの状態で重心移動訓練を行うことができ、病気や怪我により足が不自由な人であっても重心移動の訓練が可能になるという利点がある。
【００９５】
その他の構成および機能は実施形態１と同様である。
【００９６】
また、実施形態２、実施形態３、実施形態４の各構成は適宜組み合わされてもよい。
【符号の説明】
【００９７】
１  重心移動訓練システム
２  使用者
３  表示装置
４  測定装置
５  制御装置
６  ハーフミラー
３０  表示面
５１  情報取得部
５２  モード切替部
５３  表示処理部
５４  操作処理部
５５  記憶部
５６  評価部
５７  設定決定部
５８  修正評価部
【図１】
0005789738.tif 000002
【図２】
0005789738.tif 000003
【図３】
0005789738.tif 000004
【図４】
0005789738.tif 000005
【図５】
0005789738.tif 000006